(57)【要約】      （修正有）【課題】土壌（植栽床材）が水分過多の状態になり難い植栽装置を提供する。水分センサの埋設が容易で、潅水を開始すべき検出水分量や１回の潅水に適用する水量を決定し易い植栽装置および給水制御方法を提供する。【解決手段】植栽用水を貯留可能な植栽容器４と、吸水性の植栽床材２０Ａ，２０Ｂと、植栽容器１に植栽用水を供給する給水装置と、植栽床材２０Ａ，２０Ｂの浸漬部２４付近の水分を検出する第１水分センサＳ１と、植物の根を受容した植栽床材の生育部２５付近の水分を検出する第２水分センサＳ２と、第１および第２水分センサＳ１，Ｓ２の双方による各参照値Ｒｍ１，Ｒｍ２を下回る値の検出に基づいて給水を実施し、第１または第２水分センサＳ１，Ｓ２のいずれかによる各参照値を上回る値の検出に基づいて給水を停止する制御装置とを設けた。【選択図】図６
2011115049.tif 000002
【特許請求の範囲】
【請求項１】
植栽用水を貯留可能な貯水部を有する植栽容器と、
前記植栽容器に配置される吸水性の植栽床材と、
前記貯水部に植栽用水を供給する給水装置と、
前記貯水部の植栽用水に浸漬される前記植栽床材の浸漬部付近の水分量または前記貯水部の水量を検出する第１水分センサと、
植物の根を受容した前記植栽床材の生育部付近の水分量を検出する第２水分センサと、
前記第１水分センサおよび前記第２水分センサの双方による各参照値を下回る値の検出に基づいて前記給水装置による給水を実施し、前記第１水分センサまたは前記第２水分センサのいずれか一方による各参照値を上回る値の検出に基づいて前記給水を停止する制御装置と、を備えていることを特徴とする植栽装置。
【請求項２】
前記制御装置は、前記給水装置による連続給水時間を測定する第１時間測定手段を備え、同第１時間測定手段による測定時間が所定の基準時間を超えたときに給水を停止する強制止水を行うことを特徴とする請求項１に記載の植栽装置。
【請求項３】
前記制御装置が、第１水分センサと第２水分センサの双方が各参照値を下回る水分検出値を連続的に検出する連続乾燥時間を測定する第２時間測定手段を備え、同第２時間測定手段による測定時間が所定の基準時間を超えたときに警告を発することを特徴とする請求項１または２に記載の植栽装置。
【請求項４】
植栽用水を貯留可能な貯水部を有する植栽容器と、前記植栽容器に配置される吸水性の植栽床材と、前記貯水部に植栽用水を供給する給水装置とを備えた植栽装置において、前記給水装置による植栽用水の供給を制御する給水制御方法であって、
前記貯水部の植栽用水に浸漬される前記植栽床材の浸漬部付近に水分量または前記貯水部の水量を検出する第１水分センサを設置する工程と、
植物の根を受容した前記植栽床材の生育部付近に水分量を検出する第２水分センサを設置する工程と、
前記第１水分センサおよび前記第２水分センサの双方による各参照値を下回る値の検出に基づいて前記給水装置による給水を実施し、前記第１水分センサまたは前記第２水分センサのいずれか一方による各参照値を上回る値の検出に基づいて前記給水を停止する工程と、を備えていることを特徴とする給水制御方法。
【発明の詳細な説明】
【技術分野】
【０００１】
本発明は、植栽用水を貯留可能な貯水部を有する植栽容器と、植栽容器に配置される吸水性の植栽床材と、植栽床材の水分量を検出する水分センサと、水分センサの検出値に基づいて貯水部への給水を制御する制御装置とを備えた植栽装置、および給水制御方法に関する。
【背景技術】
【０００２】
この種の植栽装置に関連する先行技術文献情報として下記に示す特許文献１がある。この特許文献１に記された植栽装置は、植木鉢に植えられた植物に水タンク内の水を上方から潅水するノズルと、植物を育成する土壌の水分量を検出する水分センサとを備え、センサの検出値に基づいてノズルからの潅水が行われる。そのため、長期間留守にしても植物が水不足で枯れることがないとされている。
【先行技術文献】
【特許文献】
【０００３】
【特許文献１】特開平６−３１９３８９公報（００２０段落、図１）
【発明の概要】
【発明が解決しようとする課題】
【０００４】
しかし、特許文献１に記された植栽装置では、潅水は土壌（植栽床材）の上方から実施され、また、土壌の水分量の変化が土壌中に埋設された水分センサによって検出されるまでにはタイムラグが生じるので、潅水によって湿潤化された土壌の水分量が水分センサによって検出され、潅水を完了した後でも未だ根の周辺の水分が増加し続ける現象が起き易い。その結果、大半の植物の生育にとって好ましくない水分過多の土壌状態になり易いという問題があった。尚、タイムラグを無くすために水分センサを浅く埋設する方法も、土壌の真の水分量を検出することが困難になるので必ずしも有効ではなかった。
【０００５】
また、土壌のどの程度の深さに水分センサを埋設すれば健全な生育が行われるかを植物の種類毎に判断することにも高いレベルの知識と熟練した技術を必要とした。
【０００６】
さらに、このような植栽装置では、少なくとも、何％の検出水分量で潅水を開始すべきか、および、１回の潅水に適用する水量を事前に人為的に決定しておく必要があるが、特許文献１に記された植栽装置の場合、これらの値は、水分センサの埋設深さ、植物の吸水速度、土壌（植栽床材）の吸水速度や吸水キャパシティ、植栽装置が置かれた環境の特性（湿度、気温など）によって大きく左右されるため、結果的に試行錯誤によって判断せざるを得ない、という問題があった。
【０００７】
そこで、本発明の目的は、上に例示した従来技術による植栽装置が与える課題に鑑み、土壌（植栽床材）が水分過多の状態になり難い植栽装置を提供することにある。
【０００８】
また、本発明の別の目的は、水分センサの埋設深さの判定が比較的容易で、且つ、潅水を開始すべき検出水分量や１回の潅水に適用する水量を、植物の吸水速度、土壌（植栽床材）の吸水速度や吸水キャパシティ、植栽装置が置かれた環境の特性（湿度、気温など）を余り懸念せずに決定し易い植栽装置を提供することにある。
【課題を解決するための手段】
【０００９】
本発明による植栽装置の第１の特徴構成は、
植栽用水を貯留可能な貯水部を有する植栽容器と、
前記植栽容器に配置される吸水性の植栽床材と、
前記貯水部に植栽用水を供給する給水装置と、
前記貯水部の植栽用水に浸漬される前記植栽床材の浸漬部付近の水分量または前記貯水部の水量を検出する第１水分センサと、
植物の根を受容した前記植栽床材の生育部付近の水分量を検出する第２水分センサと、
第１水分センサおよび第２水分センサの双方における各参照値を下回る値の検出に基づいて前記給水装置による給水を実施し、第１水分センサまたは第水分２センサのいずれか一方における各参照値を上回る値の検出に基づいて前記給水を停止する制御装置と、を備えた点にある。
【００１０】
本発明の第１の特徴構成による植栽装置では、植栽床材の上方から潅水されず、植栽用水は植栽床材における植物の根が存在する生育部より下方の浸漬部から吸い上げられ、しかも、植栽床材の浸漬部が同部の参照値を上回る水分量になった場合は給水が停止されるので、潅水を完了した後で根の周辺の水分が増加し続ける現象が起き難くなり、水分過多の土壌状態になり難くなった。その結果、大半の植物の生育にとって好ましい、水分が少なめで且つ枯渇しない土壌状態を常に保持し易くなった。
【００１１】
また、本発明の第１の特徴構成による植栽装置では、植栽用水は下方の浸漬部から吸い上げられ、植物の根が存在する生育部に向かって毛管現象によって低速で移動するので、水分センサが植物の根の付近のどこに埋設されても、水分センサは植物の根の付近の水分量を大きなタイムラグ無しに検出することが可能となる。したがって、水分センサの埋設深さについて神経質に検討する必要がない。
【００１２】
さらに、植栽床材の浸漬部が一旦湿潤化され、給水が停止されると、浸漬部の水分は次第に拡散されてその一部が生育部に達するが、生育部が再び乾燥レベルになる迄の間は給水されないので、結果的に、植栽床材の浸漬部が定期的に略枯渇状態にされることとなり、植栽床材の浸漬部にける長期に亙る過湿状態によってナメクジやボウフラなどが繁殖するといった問題も生じ難い。しかも、生育部が再び乾燥レベルになる迄の間に降雨があった場合は、この降雨による生育部の加湿によって給水開始が延長されるので、その分だけ水資源を節約できる。
【００１３】
また、本発明の第１の特徴構成による植栽装置では、植物の持つ吸水速度の大小、土壌（植栽床材）の吸水速度や吸水キャパシティ、植栽装置が置かれた環境の特性（湿度、気温など）などの変動によって、植栽床材の浸漬部から生育部への水の移動速度や浸漬部が枯渇するまでに要する時間長さが変化し得るが、この変化による影響としては、第１水分センサと第２水分センサの双方が各参照値を下回る値を検出するまでの期間が伸び縮みするだけで、生育部の水分量そのものは余り左右されない。したがって、潅水を開始すべき検出水分量や１回の潅水に適用する水量を、これらの変動因子に応じて大きく変更する必要はなくなる。
【００１４】
本発明の他の特徴構成は、前記制御装置は、前記給水装置による連続開放時間を測定する第１時間測定手段を備え、同第１時間測定手段による測定時間が所定の基準時間を超えたときに給水を停止する強制断水を行う点にある。
【００１５】
本構成であれば、植栽床材が湿潤しているのにも拘わらず、センサの動作異常によって制御装置が水分不十分と判断している場合などに、一旦給水を停止する強制断水を行うことで、植栽床材が過湿状態になることが抑制される。
【００１６】
本発明の他の特徴構成は、前記制御装置が、第１水分センサと第２水分センサの双方が各参照値を下回る水分検出値を連続的に検出する連続乾燥時間を測定する第２時間測定手段を備え、同第２時間測定手段による測定時間が所定の基準時間を超えたときに警告を発する点にある。
【００１７】
本構成であれば、植栽床材が湿潤しているのにも拘わらず、センサの動作異常によって制御装置が水分不十分と判断している場合などに、警告を発することでセンサなどの点検を喚起し、植栽床材が過湿状態になることが抑制される。
【図面の簡単な説明】
【００１８】
【図１】本発明に係る植栽装置を示す斜視図である。
【図２】図１の植栽装置を構成する植栽容器を示す斜視図である。
【図３】図２の植栽容器の作用を示す平面図である。
【図４】図２の植栽容器の給排流路に沿った縦断面図である。
【図５】本発明に用いられる植栽床材を示す斜視図である。
【図６】第１水分センサの設置位置の例を示す要部の縦断面図である。
【図７】本発明に係る植栽装置の制御装置を示すブロック図である。
【図８】本発明に係る植栽装置における潅水工程の例を示すフロー図である。
【発明を実施するための形態】
【００１９】
以下に本発明を実施するための形態について図面を参照しながら説明する。
図１はビルの屋上などを含む屋外に設置可能な植栽装置の一例を示しており、樹脂の一体成形で作られた複数の植栽容器１と、植栽容器１に設置される植栽床材２０と、植栽容器１に植栽用水を供給するための給水設備３０とを有する。
【００２０】
（植栽容器の構成）
図２に示すように、個々の植栽容器１の外形は平面視において略正方形状を呈している。植栽容器１の一辺を構成する平板状の第１辺部材Ｅ１の中央には、植栽容器１に植栽用水を受け入れるための用水入口２Ａが配置され、これと対峙する第２辺部材Ｅ２の中央には、植栽容器１から余分な植栽用水を排出するための用水出口２Ｂが配置されている。
２つの辺部材Ｅ１，Ｅ２の各中点どうしを結ぶ軸心Ｘが、植栽容器１の中央に残りの辺部材Ｅ３、Ｅ４と平行に延びており、この軸心Ｘに沿って直線状の給排流路３が延設されている。用水入口２Ａおよび用水出口２Ｂはこの給排流路３の両端に位置し、用水出口２Ｂからはクチバシ状の樋口２Ｆが横向きに突設されている。
【００２１】
図２における給排流路３の右側と左側には、各々２つの概して正方形の植栽セクション４が給排流路３に沿って並置されており、合計で４つの植栽セクション４が一体的に集合することで、植栽容器１自体も全体として平面視で略正方形の外形を備えている。
植栽床材２０は植物を根の発育を許しながら支持する機能と、発育に必要な植栽用水を給水保持する機能とを有する多孔質の材料からなり、図１および図５に示すように、ここでは、供給された植栽用水を給水する下部床材２０Ａと、下部床材２０Ａの上に載置されて植物を支持する上部床材２０Ｂとで構成されている。上部床材２０Ｂには花卉などの苗を植え付けるための凹部２１が形成されている。ここで用いられる植栽床材２０（２０Ａ、２０Ｂ）は、ウレタンと粉砕された木屑などの混合物からなり、上部から下部までほぼ均一に水分と空気をバランスよく保持でき、且つ、根の生育に必要な空気が保たれ易い。
【００２２】
図２および図３に示すように、個々の植栽セクション４は植栽用水を貯留可能な一つの貯水容器５（貯水部の一例）を備えている。したがって、給排流路３は各貯水容器５の一側面に隣接配置された溝状給排流路となり、２つの貯水容器５が給排流路３を挟むように左右に隣接配置された状態となっている。貯水容器５は八角形の底面５ａの最外周部から斜め上方に擂り鉢状に延びた８個の壁面５ｂを備えている。貯水容器５は、一部の壁面５ｂの上端を介して辺部材Ｅ１，Ｅ２，Ｅ３，Ｅ４に連結されている。
貯水容器５の底面５ａの最外周部よりも所定長さだけ中央寄りには４つの低い板状突起６が上向きに立設されている。
【００２３】
板状突起６の内側の概して八角形の領域は下部床材２０Ａを設置するための床材収納部７を構成し、板状突起６の外側は、下部床材２０Ａの下端部の全周を取り囲む包囲給水路８を構成している。包囲給水路８は下部床材２０Ａが存在せず、植栽用水が基本的に自由に行き来し易い領域となっている。
尚、平面視において上部床材２０Ｂは下部床材２０Ａよりも大きな外径を備えており、下部床材２０Ａの上に上部床材２０Ｂを載置すると、上部床材２０Ｂの外周面は貯水容器５の８個の壁面５ｂの内面にほぼフィットした状態で位置決めされる。
したがって、上部床材２０Ｂの下方には下部床材２０Ａを全周で取り囲むトンネル状の用水流路が形成される。
【００２４】
図４に示すように、給排流路３の流水方向に関する中間部には、給排流路３を上流側の第１流路３Ａと下流側の第２流路３Ｂとの２つに分断し、第１流路３Ａに植栽用水を所定の深さで貯留するための第２堰部材３Ｄが形成されている。
また、図２−４に示すように、給排流路３と貯水容器５との間には両領域どうしを仕切る平板状の仕切り壁１０が備えられている。仕切り壁１０には、給排流路３の第１流路３Ａを上流側の植栽セクション４の包囲給水路８と連通させる第１開口部１０Ａと、給排流路３の第２流路３Ｂを下流側の植栽セクション４の包囲給水路８と連通させる第２開口部１０Ｂとが切り欠き状に形成されている。第２堰部材３Ｄは第１開口部１０Ａの下流側端部から第２開口部１０Ｂの上流側端部まで直線状に長く延設されている。
【００２５】
給排流路３に沿って並置された上流側の貯水容器５と下流側の貯水容器５との間には植栽用水の行き来を可能にする連設開口部１１が形成されているが、この連設開口部１１には植栽用水を所定の深さで貯留可能な第３堰部材１１Ｄが設けられている。
各包囲給水路８の一部には、用水入口２Ａから第１開口部１０Ａや第２開口部１０Ｂを経て進入する植栽用水の回転方向を制御する第１堰部材８Ｄが設けられている。
【００２６】
上流側と下流側の各貯水容器５の包囲給水路８に設けられた２つの第１堰部材８Ｄは、第３堰部材１１Ｄを挟んで前後方向に同等に軸心Ｘと平行に延び、平面視において第３堰部材１１Ｄを中心とした対称状に配置されている。
図３に示すように、軸心Ｘよりも右側の植栽セクション４のみを取り上げると、上流側の貯水容器５に設けられた第１堰部材８Ｄは、図で左下に位置する板状突起６の下流側端部付近を、最も近接した壁面５ｂに対して連結する形状で設けられている。下流側の貯水容器５に設けられた第１堰部材８Ｄは、図で左上に位置する板状突起６の上流側端部付近を、最も近接した壁面５ｂに対して連結する形状で設けられている。
【００２７】
各植栽セクション４の四隅の上端には概して三角形のフランジ１３が四隅のコーナーを埋めるように水平に延設されている。フランジ１３の下面は上部床材２０Ｂの上面の４つの短辺と係合することで、上部床材２０Ｂを正しい位置に保持する役目を果たす。
また、非常に多数の植栽容器１を前後左右に連結した場合などには、育成中の花卉のメンテナンスを行う目的で、作業者が少なくとも一部のフランジ１３の上を伝い歩くことが可能である。給排流路３は着脱自在な矩形の蓋（不図示）で閉じた状態で用いてもよい。
【００２８】
図１には、植栽容器１どうしの連結を実現するための２種類の連結キャップ２４、２５が示されている。円形の連結キャップ２４は４つの植栽容器１を一体化するために用いられ、半円形の連結キャップ２５は２つの植栽容器１を一体化するために用いられる。これらの連結キャップ２４、２５の下端部などを係止するために、植栽容器１の４つの角部には扇型の係合孔または係合突起などが形成されている。
【００２９】
尚、植栽容器１どうしを前後方向に、すなわち給排流路３が直列状になるように連結する際は、植栽用水の流れに関して上流側の植栽容器１の用水出口２Ｂに設けられた樋口２Ｆが、下流側の植栽容器１の用水入口２Ａに進入するように連結する。
また、植栽容器１を水平な面に載置したときの各堰部材と板状突起６と樋口２Ｆの間の高さの関係は、「第２堰部材３Ｄ＞樋口２Ｆ＞第３堰部材１１Ｄ＝用水入口２Ａ＞板状突起６＞第１堰部材８Ｄ」となるように設定されている。
【００３０】
（植栽容器の作用）
図３に示すように、給水設備３０によって、最も上流側に配置された植栽容器１の用水入口２Ａへの植栽用水の供給を開始すると、先ず、植栽用水は給排流路３の第１流路３Ａに入って第２堰部材３Ｄに衝突して左右に別れ、左右の第１開口部１０Ａを経て、左右の上流側の植栽セクション４の包囲給水路８（貯水容器５）に進入する。包囲給水路８に進入した植栽用水は、設置面の傾斜度に応じて上流側と下流側のいずれか又は双方に流れるが、下流側に流れた植栽用水が包囲給水路８に配置された第１堰部材８Ｄに達して以降は、上流側への流れが主体的となって、下部床材２０Ａおよび各板状突起６の外周を包囲給水路８に沿って時計方向に流れ、第１堰部材８Ｄの手前まで達することで、下部床材２０Ａの全周が迅速に植栽用水によって包囲される。このように、板状突起６は植栽用水を一定の回転方向に案内するガイド部材の役割をも果たす。下部床材２０Ａはこの植栽用水を直ぐに給水し始めるが、植栽用水が下部床材２０Ａの給水速度を超える速度で供給されている状態では、第３堰部材１１Ｄをオーバーフローして連設開口部１１から下流側の植栽セクション４に移動する。
【００３１】
下流側の植栽セクション４の包囲給水路８に進入した植栽用水は、ここに配置された第１堰部材８Ｄの作用で、下部床材２０Ａおよび各板状突起６の外周を包囲給水路８に沿って時計方向に流れ、第１堰部材８Ｄの手前まで達することで、下部床材２０Ａの全周が迅速に植栽用水によって包囲される。下部床材２０Ａを包囲した植栽用水の一部は第２流路３Ｂに進入する。下部床材２０Ａはこの植栽用水を直ぐに給水し始めるが、上流側の植栽セクション４から植栽用水が下部床材２０Ａの給水速度を超える速度で供給されている状態では、用水出口２Ｂの樋口２Ｆからオーバーフローして下流側の植栽容器１の用水入口２Ａに流れ込む。
このような植栽用水の挙動が給排流路３を挟んで左右の各植栽セクション４で略対称的に行われる。
尚、最も下流側に配置された植栽容器１の樋口２Ｆから余分な植栽用水が排出されないように制御装置３３を設定することができる。但し、最も下流側に配置された植栽容器１の用水出口２Ｂを専用の栓部材によって塞いでもよい。
【００３２】
（給水設備）
図１に示すように、給水設備３０は、最も上流側に配置された植栽容器１の用水入口２Ａに植栽用水を供給するための配管３１と、上水道と配管３１との間に介装された電磁弁３２と、最も下流側に位置する下部床材２０Ａに挿入された第１水分センサＳ１と、上部床材２０Ｂに挿入された第２水分センサＳ２と、各水分センサＳ１、Ｓ２の検出結果に基づいて電磁弁３２を開閉切り換えする制御装置３３とで構成することができる。
【００３３】
図６に例示するように、第１水分センサＳ１の検出部は、最も下流側に位置する下部床材２０Ａの中で特に、給水設備３０によって供給された植栽用水に浸漬される浸漬部２４の上下方向における中心付近に挿入設置されている。他方、第２水分センサＳ２の検出部は、上部床材２０Ｂの中で特に、植物の根を受容した生育部２５付近に挿入設置されている。
【００３４】
第１水分センサＳ１および第２水分センサＳ２には、土壌や人工の植栽床材の体積含水率を高い応答性で精度よく測定可能な誘電率式土壌水分センサが用いられている。誘電率式土壌水分センサは、水と土粒子と空気とが互いに比誘電率が大きく異なるために、土壌の誘電率が土壌水分量にほぼ比例することを利用しており、一対の電極間に電圧を加え、電極間に挟まれた土壌や人工の植栽床材中の誘電率に基づいて体積含水率を測定する。
尚、浸漬部２４の水分状態を検出する第１水分センサＳ１については、誘電率式土壌水分センサではなく、貯水部５の水量を水面の高さによって検出する一般的なレベルセンサを用いることも可能である。
【００３５】
制御装置３３は、第１水分センサＳ１および第２水分センサＳ２の双方による各参照値Ｒｍ１、Ｒｍ２を下回る値の検出に基づいて電磁弁３２を開放し、第１水分センサまたは第２水分センサのいずれか一方による各参照水分値Ｒｍ１、Ｒｍ２を上回る値の検出に基づいて電磁弁３２を閉鎖する。また、制御装置３３は、電磁弁３２の連続開放時間（第一時間）が所定の基準時間を超えたときにはエラーＬＥＤ４２を点滅させた上で電磁弁３２を閉鎖し、２つの水分センサＳ１，Ｓ２が共に各参照値Ｒｍ１、Ｒｍ２を下回る水分不足の値を示し続ける連続乾燥時間（第二時間）が所定の基準時間を超えたときにはエラーＬＥＤ４２を点滅させる。
【００３６】
そのために、制御装置３３は、電磁弁３２の連続開放時間（第一時間）を測定する第１タイマーＴ１と、２つの水分センサＳ１，Ｓ２が共に各参照値Ｒｍ１、Ｒｍ２を下回る水分不足の値を示し続ける連続乾燥時間（第二時間）を測定する第２タイマーＴ２と、各水分センサＳ１，Ｓ２による水分検出値が各水分参照値Ｒｍ１、Ｒｍ２を超えるか否かを判別する水分判別手段３５と、これらのタイマーＴ１、Ｔ２による測定結果が各基準時間Ｒｔ１、Ｒｔ２を超えるか否かを判別する時間判別手段３７と、各水分参照値Ｒｍ１、Ｒｍ２および各基準時間Ｒｔ１、Ｒｔ２を蓄積するためのメモリ４０を備える。
【００３７】
尚、第１水分センサＳ１では、植栽床材２０の浸漬部２４が載置された貯水容器５に十分な量の植栽用水が存在するか否か、或いは、浸漬部２４が植栽用水によって十分に湿潤されているか否かを判定できればよいので、その参照値Ｒｍ１は例えば体積含水率で５０％以上に相当する値に設定すればよい。
第２水分センサＳ２では、植栽床材２０の育成部２５が適正な水分を保持しているか否かを判定したいので、植物の種類によっても左右されるが、その参照値Ｒｍ２としては例えば１０〜５０％の範囲内、さらに好ましくは２０〜３５％の範囲内に設定すればよい。
【００３８】
（制御装置の作用）
以下に、制御装置３３による電磁弁３２の開閉操作の例を図８のフローチャートに基づいて説明する。
制御装置３３による開始時には電磁弁３２が閉鎖されており（＃０１）、３０秒の待機時間の後（＃０２）、各水分センサＳ１，Ｓ２による水分検出値が各水分参照値Ｒｍ１、Ｒｍ２と比較され（＃０３、＃０４）、双方の水分検出値が各水分参照値Ｒｍ１、Ｒｍ２を上回る場合は（２つのｙｅｓ判定）、１時間の待機時間（＃０５）の後に（＃０２）工程に戻る。
【００３９】
他方、（＃０３、＃０４）工程で双方の水分検出値が各水分参照値Ｒｍ１、Ｒｍ２以下の場合は（２つのｎｏ判定）、電磁弁３２が開放状態に切り換えられ（＃０６）、引き続き、各水分センサＳ１，Ｓ２による水分検出値が各水分参照値Ｒｍ１、Ｒｍ２と比較される（＃０７、＃０９）。
（＃０７、＃０９）工程で２つの水分センサＳ１，Ｓ２のいずれかの水分検出値が各水分参照値Ｒｍ１、Ｒｍ２を上回る場合は（少なくとも１つのｙｅｓ判定）、電磁弁３２が閉鎖され（＃０８）、その後（＃０５）工程に戻る。
【００４０】
他方、（＃０７、＃０９）工程で双方の水分検出値が各水分参照値Ｒｍ１、Ｒｍ２以下の場合は（２つのｎｏ判定）、第１タイマーＴ１によって測定された電磁弁３２の連続開放時間（第一時間）が第１基準時間Ｒｔ１（例えば６ｈ）を超えるか否かが判別され（＃１０）、もしも第１基準時間Ｒｔ１以下であれば（ｎｏ判定）、連続乾燥時間（第二時間）を基準時間Ｒｔ２と比較する（＃１５）工程に進む。
【００４１】
この（＃１５）工程では、連続乾燥時間（第二時間、ドライ時間）が第２基準時間Ｒｔ２（例えば１２ｈ）を下回るか否かの判定が行われ、もしも第２基準時間Ｒｔ２以下であれば（ｙｅｓ判定）、（＃０７）工程に戻る。
逆に、（＃１５）工程で連続乾燥時間（第二時間、ドライ時間）が第２基準時間Ｒｔ２を超えていれば（ｎｏ判定）、発生日時、連続乾燥時間などを含むエラー情報がメモリ４０に記録され（＃１６）、エラーＬＥＤ４２をＢパターン（４秒に１回など）で点滅させながら（＃１７）、（＃０７）工程に戻る。
【００４２】
尚、（＃１０）工程で電磁弁３２の連続開放時間（第一時間）が第１基準時間Ｒｔ１を超えていれば（ｙｅｓ判定）、発生日時、連続開放時間などを含むエラー情報がメモリ４０に記録され（＃１１）、電磁弁３２が閉鎖され（＃１２）、エラーＬＥＤ４２をＡパターン（２秒に１回など）で点滅させながら（＃１３）、２４時間の待機時間（＃１４）を経て（＃０２）工程に戻る。
【００４３】
砂漠地方などの乾燥地帯で用いる場合や熱帯の乾季などに用いる場合、また、第１水分センサＳ１の設置位置を低めにする場合などは、図８のフローチャートで２４時間となっている（＃１６）工程の待機時間を適宜短縮するとよい。また、（＃１６）工程の待機時間は、生育対象となる植物の性質に応じても適宜変更することができる。
【００４４】
〔別実施形態〕
電磁弁３２の連続開放時間（第一時間）を判定するための比較対象としての第１基準時間Ｒｔ１を固定された数値とせずに、例えば、前回（正常時）の連続開放時間を２倍した時間長さ、または、制御装置３３の初期化後における最長の連続開放時間を２倍した時間長さなどとしてもよい。エラーＬＥＤ４２の代わりにブザーなどの警告手段を用いてもよい。
【産業上の利用可能性】
【００４５】
植栽用水を貯留可能な貯水部を有する植栽容器と、植栽容器に配置される吸水性の植栽床材と、貯水部に植栽用水を供給する給水装置とを備え、土壌（植栽床材）が水分過多の状態になり難く、水分センサの埋設が容易で、且つ、潅水を開始すべき検出水分量や１回の潅水に適用する水量を決定し易い植栽装置の構成案として利用できる。
【符号の説明】
【００４６】
Ｒｍ１  参照値（第１水分センサ用）
Ｒｍ２  参照値（第２水分センサ用）
Ｓ１  第１水分センサ（浸漬部）
Ｓ２  第２水分センサ（植栽部）
Ｔ１  第１タイマー（連続開放時間）
Ｔ２  第２タイマー（連続乾燥時間）
１  植栽容器
５  貯水容器（貯水部）
２０  植栽床材
２４  浸漬部
２５  生育部
３０  給水設備
３１  配管
３２  電磁弁
３３  制御装置
３５  水分判別手段
３７  時間判別手段
４０  メモリ
４２  エラーＬＥＤ
【図１】
2011115049.tif 000003
【図２】
2011115049.tif 000004
【図３】
2011115049.tif 000005
【図４】
2011115049.tif 000006
【図５】
2011115049.tif 000007
【図６】
2011115049.tif 000008
【図７】
2011115049.tif 000009
【図８】
2011115049.tif 000010